(57)【特許請求の範囲】
【請求項１】
コンクリート表面に張り付けた状態でコンクリート釘を打ち込みモルタルを吹き付けて覆工工事をするためのモルタル吹き付け用ネットの評価方法であって、
基盤上に高さ７０ｍｍ、幅３５ｍｍ及び長さ１０００ｍｍの角柱状の長尺凸状体を配置し、その長尺凸状体の上に前記ネットを配置し、前記ネットをその全幅に亘って固定する固定部と、前記ネット上に荷重を作用させるための１辺が２００ｍｍである正方形の荷重面を有する荷重部とを５００ｍｍの間隔で配置すると共に、前記長尺凸状体が前記固定部と荷重部との中間に位置するようにし、前記荷重部の荷重を変化させて押し付けると共に、その荷重を受けた前記ネットの下部と前記基盤との間の間隔を浮き上がり量として測定し、
前記荷重部の荷重の範囲が４０ｋｇ以下及び５ｋｇ以上、且つ、前記浮き上がり量が０ｍｍを除く５ｍｍ以下であるものを選定することを特徴とするモルタル吹き付け用ネットの評価方法。
【請求項２】
前記ネットが、ポリエチレン製又はポリプロピレン製であることを特徴とする請求項１に記載のモルタル吹き付け用ネットの評価方法。
【請求項３】
前記ネットが、押出成形によって形成された不編ネットであることを特徴とする請求項２に記載のモルタル吹き付け用ネットの評価方法。
【発明の詳細な説明】
【技術分野】
【０００１】
本発明は、コンクリート表面にモルタルを吹き付けて覆工工事をするためのモルタル吹き付け用ネットの評価方法に関する。
【背景技術】
【０００２】
法面やトンネルの内壁を形成するコンクリート構造物の不陸の表面にモルタルを吹き付けることにより、コンクリート層を形成して、表面仕上げすることが一般に行われている。モルタルとコンクリート表面との間には接着力が発生するので、コンクリート表面が斜面であったり、天井面であったりしても、吹き付けられたモルタルは、固化する前で当ても容易には剥がれ落ちない。しかし、コンクリート表面の洗浄が不十分な場合等、コンクリート表面とモルタルとの間に異物が介在することになり、接着力が不足することがある。このため、コンクリート表面にネット状体を張り付けて、その網目を通したモルタルの吹き付けにより、モルタルの上記接着力不足を補ったり、ネット状体の補強によりモルタルの剥落を防止したりしている。
【０００３】
特許文献１に開示されている「コンクリートの剥離落下防止方法」では、海砂が使用されるコンクリート構造物において、海砂の塩分により錆が発生しやすい鉄筋に替えて合成繊維製網が使用されている。この合成繊維製網を構成する撚糸は、１本当たり１００ｋｇ以上の荷重に耐えるものであることが要件とされている。
【０００４】
特許文献２に開示されている「トンネル内壁施工方法」では、ポリアミドやポリフェニレンサルファイド等によるネットがコンクリート躯体の表面に張られている。そして、そのネットが埋没するように、繊維補強材が混和されたモルタルが吹き付けられている。
【先行技術文献】
【特許文献】
【０００５】
【特許文献１】特開２００２−２９５１９４号公報
【特許文献２】特開２００３−１５５８９９号公報
【発明の概要】
【発明が解決しようとする課題】
【０００６】
特許文献１、２に開示されている方法は、モルタル層を補強するためのネットが用いられるものである。このため、いずれの公報においても、補強に係る種々説明は成されているが、コンクリート表面に対するネットの張り付けに関しては、コンクリート表面からネットを浮かして張ることが開示されているに止まる。
【０００７】
社団法人日本トンネル技術協会等の各種資料に示されるように、打設されたコンクリートの表面は必ずしも滑らかではなく、不陸に係る凹凸の限度が、深さと凹部の長さとの比において、１：６以下であればよいとされている。また、モルタル吹き付け用ネットは、コンクリート釘等により平方メートル当たり４ヶ所で固定されるようになっている。従って、ピッチ５００ｍｍで打ち込まれた２ヶ所の釘の間には、４００ｍｍ前後の長さの凹部が形成されていることもあるとすれば、その凹部の深さが最大７０ｍｍ程度であることが想定される。このことは、見方を変えれば、凹部にコンクリート釘が打ち込まれる場合、その２ヶ所の釘の間には、７０ｍｍの高さの凸部が形成されている場合が想定されることになる。実際の施工現場においては、このような凸部を跨ぐようにネットが張られることが少なくない。
【０００８】
ところが、補強を目的としたモルタル吹き付けのためのネット状体は、通常用いられている鋼製のネット状体はもとより、特許文献１、２のネットであっても、比較的大きな剛性を有している。従って、前記凸部を跨いで張られるネット状体の両側をコンクリート釘で固定する場合、一方の側を釘で固定した後、他方の側に釘を打ち込むためには、前記凸部に沿わせるようにネット状体を変形させて、他方の側を強い力で押し付ける必要がある。しかし、押し付け力が足りない場合が多く、そのような場合は、既に固定したネット状体の一部を剥がして、はつり等により凸部の高さを低くしなければならず、施工における作業効率を低下させるものとなっている。
【０００９】
本発明は、このような問題に着目してなされたものであり、その目的とするところは、コンクリート表面に不陸があっても、その表面に張り付けることが容易なモルタル吹き付け用ネットを選定するための評価方法を提供することにある。
【課題を解決するための手段】
【００１０】
上記問題を解決するために請求項１に記載のモルタル吹き付け用ネットの評価方法の発明は、コンクリート表面に張り付けた状態でコンクリート釘を打ち込みモルタルを吹き付けて覆工工事をするためのモルタル吹き付け用ネットの評価方法であって、基盤上に高さ７０ｍｍ、幅３５ｍｍ及び長さ１０００ｍｍの角柱状の長尺凸状体を配置し、その長尺凸状体の上に前記ネットを配置し、前記ネットをその全幅に亘って固定する固定部と、前記ネット上に荷重を作用させるための１辺が２００ｍｍである正方形の荷重面を有する荷重部とを５００ｍｍの間隔で配置すると共に、前記長尺凸状体が前記固定部と荷重部との中間に位置するようにし、前記荷重部の荷重を変化させて押し付けると共に、その荷重を受けた前記ネットの下部と前記基盤との間の間隔を浮き上がり量として測定し、前記荷重部の荷重の範囲が４０ｋｇ以下及び５ｋｇ以上、且つ、前記浮き上がり量が０ｍｍを除く５ｍｍ以下であるものを選定することを特徴とするものである。
【００１１】
上記構成によれば、コンクリート表面の不陸の限度として長尺凸状体を用いた。そして、ネットを、長尺凸状体に沿わせて変形させるために必要な片手の押し付け力を、正方形の荷重面からネットに作用させるようにした。また、荷重を受けた時のネットの下部と基盤との間の間隔を測定するようにした。
【００１２】
そして、前記間隔が大きなことは、ネットを固定するためのコンクリート釘の打ち込みに困難を伴うことを意味する。このため、作業者による押し付け力を上限とする荷重の範囲において、測定された前記間隔が所定値以下であることにより、コンクリート表面に張り付けることが容易なモルタル吹き付け用ネットを評価することができる。ただし、荷重が小さすぎる時、即ち、片手作業が容易ではあっても、ネットが柔らか過ぎる時には、自重によってネットが垂れ下がるので、作業性に問題がある。このため、荷重には下限値が設けられている。
【００１４】
上記構成によれば、７０ｍｍの高さの不陸があっても、片手の押し付け力により、ネット下部とコンクリート表面との間の間隔を、コンクリート釘の打ち込みに支障をきたさない範囲にすることが可能なモルタル吹き付け用ネットを得ることができる。
【００１５】
請求項２に記載の発明は、請求項１に記載のモルタル吹き付け用ネットの評価方法において、前記ネットが、ポリエチレン製又はポリプロピレン製であることを特徴とするものである。
請求項３に記載の発明は、請求項２に記載のモルタル吹き付け用ネットの評価方法において、前記ネットが、押出成形によって形成された不編ネットであることを特徴とするものである。
【発明の効果】
【００１６】
本発明によれば、コンクリート表面に不陸があっても、その表面に張り付けることが容易なモルタル吹き付け用ネットを選定するための評価方法を提供することができる。
【図面の簡単な説明】
【００１７】
【図１】実施形態の評価方法に用いられる評価装置を示す、（ａ）は平面図、（ｂ）は正面図。
【図２】評価試験に用いた被試験体を示す一覧表。
【図３】評価試験結果を示す一覧表。
【発明を実施するための形態】
【００１８】
（実施形態）
以下、本発明を具体化した実施形態を図１〜図３を用いて説明する。
図１に示すように、本実施形態の評価法のための試験装置では、基盤１上に、擬似不陸としての角柱状の長尺凸状体２を配置した。この長尺凸状体２は、前記したように、モルタル吹き付け用ネットが用いられる不陸の限度に対応すべく、高さが７０ｍｍに設定されている。この長尺凸状体２の幅は３５ｍｍであり、長さは１０００ｍｍである。そして、その長尺凸状体２の上に、ネット状体である試験片５を載置すると共に、試験片５の幅方向と長尺凸状体２の長手方向とが平行となるようにした。
【００１９】
また、長尺凸状体２を挟んで、且つ長尺凸状体２が中間位置となるように、固定部３と荷重部４とを試験片５上に配置した。固定部３と荷重部４との間隔Ｌ２は５００ｍｍである。この５００ｍｍの長さは、モルタル吹き付け用ネットについて前記したように、コンクリート釘等により１平方メートル当たり４ヶ所で固定されることが好ましいとされる知見により決定されている。
【００２０】
固定部３は、本実施形態においては、２００ｋｇの錘Ｗ０を収容した筐体である。この固定部３と長尺凸状体２とは、それぞれの長手方向が平行となるように配置されている。また、固定部３の長さは、試験片５の全幅と同一又は全幅以上の長さになっている。なお、錘Ｗ０を収容した筐体に替えて、帯板等の押え部材と基盤１との間に試験片５を挟持するようにして、試験片５を固定してもよい。
【００２１】
荷重部４は、荷重面としての底面が、一辺の長さＬ３＝２００ｍｍの正方形で形成された筐体であり、重さの異なる錘Ｗ１を収容できるようになっている。この底面は、作業者が手の平を開いた時の大きさと略等しい大きさに形成されている。また、この荷重部４は、図示しない案内装置により、上下方向にのみ移動できるようになっている。更に、荷重部４の荷重を受けた試験片５が、長尺凸状体２に沿うように変形できないために、その下部が基盤１から浮き上がる場合は、その浮き上がり量、即ち、試験片５の下部と基盤１との間隔Ｌ１を測定できるようになっている。
【００２２】
次に、本実施形態の試験装置を用いて試験片５を評価した評価方法とその結果について説明する。
試験片５は、図２に示すように番号１〜８の８種類のネット状体が用いられた。材質を示す記号は次の通りである。ＰＥ＝ポリエチレン、ＰＰ＝ポリプロピレン、Ｓ＝鋼材。材質がＰＥ又はＰＰの試験片５は、押出成形によりネット状に形成された成形ネットであり、言い換えれば、編まれていない不編のネットである。材質がＳの番号５、８はエキスパンドメタルである。また、試験片５の網の目は略長方形であり、その大きさを目合いで示している。
【００２３】
これらの試験片５について、荷重部４の錘Ｗ１を変化させて、長尺凸状体２側の荷重部４の角部における試験片５の下部と基盤１との間の間隔Ｌ１を浮き上がり量として測定した。図３に示すように、番号１、４、６については、異なる重さの錘Ｗ１により、それぞれ２回の試験を行った。
【００２４】
試験結果については、不陸のコンクリート表面に対してモルタル吹き付け用ネットを片手で押し付けた時、ネットのコンクリート表面からの浮き上がりが所定値以下であるか否かを評価した。なお、作業者が片手で押し付けることができる押え荷重は、施工現場の知見として、４０ｋｇ以下であることが認識されている。また、本実施形態におけるモルタル吹き付け用ネットは、固化したモルタルを補強するためというよりも、固化する前のモルタルがコンクリート表面からずり落ちないようにするために用いられる。従って、押え荷重が小さければ作業が容易となるので、浮き上がり量が所定値以下であれば、押え荷重は小さければ小さい方が良いことになる。しかし、浮き上がり量が所定値以下であっても、押え荷重が５ｋｇ未満であるようなネットは、自重による垂れ下がりが起きて、ネットを張る作業に支障をきたすことになる。また、前記ネットは、モルタルのずれを防止できないことにもなるため、採用し難いことも経験値として認識されている。従って、浮き上がり量の評価を、押え荷重が４０ｋｇ以下及び５ｋｇ以上の範囲にある場合について行った。
【００２５】
また、ネットの浮き上がりはないことが好ましいが、間隔Ｌ１（浮き上がり量）が５ｍｍ以下であれば、コンクリート釘の打ち込みを容易に行うことができる。即ち、コンクリート釘は一般的に長さが３０数ｍｍのものが用いられ、また、ネットを固定しやすくするためのワッシャ又はプレートが用いられる。更に、ネットの厚さもプラスされると、ネットの下面から突出するコンクリート釘の長さは少なからず短くなる。従って、片手でネットを押し付けながらコンクリート釘を打ち込む作業においては、ネットの浮き上がり量が大きい場合、作業に支障をきたすことが施工現場の認識である。
【００２６】
図３には、上記のような方法で試験をして評価した結果が示されている。番号１〜５については、荷重の範囲及び浮き上がり量に関する良好な評価結果が得られている。また、番号６、８については、４０ｋｇ以下の押し付け力では浮き上がり量が大きいため、モルタル吹き付け用ネットとしては不適であることが評価された。逆に、番号７については、浮き上がり量がゼロではあるが、押え荷重１．３ｋｇが示すように、柔らか過ぎるため、不適であることが評価された。
【００２７】
従って、上記実施形態によれば、以下のような効果を得ることができる。
（１）上記実施形態では、５００ｍｍピッチでコンクリート釘を打ち込むことを前提に、試験片５を固定するための固定部３と、荷重を変化させて試験片５を押し付けることが可能な荷重部４とを５００ｍｍの間隔で配置した。そして、固定部３と荷重部４との中間部に擬似不陸としての長尺凸状体２を配置して、その上に試験片５を載置した。更に、固定部３により試験片５を固定すると共に、荷重部４により異なる荷重を試験片５に作用させて、試験片５の下部と基盤１との間の間隔Ｌ１を測定するようにした。そして、荷重が４０ｋｇ以下及び５ｋｇ以上の範囲において、間隔Ｌ１が０〜５ｍｍであるか否かを評価した。このため、不陸のコンクリート表面に張り付けることが容易なモルタル吹き付け用ネットの評価方法を提供することができる。
【００２８】
（２）上記実施形態では、前記評価方法によりモルタル吹き付け用ネットを評価した。そして、荷重が４０ｋｇ以下及び５ｋｇ以上の範囲において、試験片５の下部と基盤１との間の間隔Ｌ１が０〜５ｍｍであるものを選定することができた。このため、不陸のコンクリート表面にコンクリート釘を用いて張り付けるに際し、片手で押し付けることが可能な、且つ、作業に支障となる浮き上がりの防止が可能なモルタル吹き付け用ネットを提供することができる。
【００２９】
（変更例）
なお、上記実施形態は、次のように変更して具体化することも可能である。
・  合成樹脂製の試験片５として材質をＰＥ又はＰＰとしたが、荷重の範囲及び浮き上がり量の範囲に当てはまる限りにおいて、他の公知の合成樹脂、例えば、ポリアミド、ポリフェニレンサルファイド等によるネットとすること。
・  ＰＥ製又はＰＰ製の試験片５を不編ネットとしたが、合成樹脂製の撚糸を編んで形成したネットとすること。更に、このネットに樹脂加工を施してネットとしての剛性を高めるようにすること。
【００３０】
さらに、上記実施形態より把握できる技術的思想について、それらの効果と共に以下に記載する。
前記ネットが鋼製エキスパンドメタルであることを特徴とする請求項２に記載のモルタル吹き付け用ネットの評価方法。このように構成した場合、汎用のエキスパンドメタルを使用できると共に、エキスパンドメタルであっても容易に覆工工事を行うことができる。
【符号の説明】
【００３１】
Ｌ１，Ｌ２…間隔、Ｌ３…長さ、１…基盤、２…長尺凸状体、３…固定部、４…荷重部。
【図１】
0005688248.tif 000002
【図２】
0005688248.tif 000003
【図３】
0005688248.tif 000004